(57)【要約】【課題】交換を容易としつつ容器に確実に固定することができる着脱部材及び可搬式コンテナを提供する。【解決手段】容器の台座部材１５に着脱可能なパチン錠４０は、ベース部４１と、ベース部４１により支持され台座部材１５の溝部１５ｈに嵌まるロック位置と溝部１５ｈから外れるアンロック位置の間で回転可能なロック部材４２と、を備える。ロック部材４２は、ロック位置にあるとき、パチン錠４０を台座部材１５に対してロック部材４２の回転軸Ａｘに沿う幅方向Ｗに固定し、アンロック位置にあるとき、パチン錠４０の台座部材１５に対する幅方向Ｗへの固定を解除する。【選択図】図２
2020196507.tif 000002
【特許請求の範囲】
【請求項１】
容器の台座部材に着脱可能な着脱部材であって、
ベース部と、
前記ベース部により支持され前記台座部材の溝部に嵌まるロック位置と前記溝部から外れるアンロック位置の間で回転可能なロック部材と、を備え、
前記ロック部材は、前記ロック位置にあるとき、前記着脱部材を前記台座部材に対して前記ロック部材の回転軸に沿うスライド方向に固定し、前記アンロック位置にあるとき、前記着脱部材の前記台座部材に対する前記スライド方向への固定を解除する、
着脱部材。
【請求項２】
前記ベース部は、前記台座部材のスライド孔に前記スライド方向に沿って挿入可能に形成されるスライド部を備え、
前記スライド部は、前記スライド孔に挿入された状態で前記スライド方向以外の方向において前記着脱部材を前記台座部材に固定する、
請求項１に記載の着脱部材。
【請求項３】
前記ベース部は、前記ロック部材における回転可能に支持される基端部を前記回転軸に沿う方向から挟み込み、前記台座部材に向けて開口するコ字状に形成されるロック収容部を備える、
請求項１又は２に記載の着脱部材。
【請求項４】
請求項１から３の何れか１項に記載の着脱部材と、
収容物が収容され、開口部を有する容器と、
前記容器の前記開口部を塞ぐ蓋と、
前記容器の外周面に固定され、前記着脱部材が着脱可能に装着される前記台座部材と、を備える可搬式コンテナであって、
前記着脱部材は前記蓋を前記容器に固定するパチン錠であり、
前記台座部材は、
前記容器の前記外周面に交わる方向に延びる２つの側壁部と、
前記２つの側壁部における前記外周面から遠い端部を連結し、前記外周面に沿って延び、前記溝部が形成される本体板部と、
前記本体板部の高さ方向の縁部から前記外周面に向けて延びる防護壁部と、を備え、
前記ロック位置にある前記ロック部材の先端部は、前記２つの側壁部、前記本体板部及び前記防護壁部により囲まれている、
可搬式コンテナ。
【請求項５】
前記ロック部材は、前記ロック部材の前記先端部に位置し、前記ロック部材の前記回転軸に沿う方向に延び、外部から押されることにより前記ロック部材を前記ロック位置と前記アンロック位置の間で回転させる被押圧部を備え、
前記被押圧部は、前記高さ方向から見て、前記防護壁部、前記本体板部及び前記側壁部の間から露出する、
請求項４に記載の可搬式コンテナ。
【請求項６】
前記着脱部材は、前記ロック部材を前記アンロック位置から前記ロック位置に向けて付勢する付勢部を備え、
前記ロック位置は、前記アンロック位置よりも前記容器の前記開口部から遠い位置に存在する、
請求項４又は５に記載の可搬式コンテナ。
【発明の詳細な説明】
【技術分野】
【０００１】
本発明は、着脱部材及び可搬式コンテナに関する。
【背景技術】
【０００２】
従来から、食品等の収容物を収容した状態で、運搬される可搬式コンテナが知られている。例えば、特許文献１に記載のコンテナは、上面に開口を有するコンテナ本体と、コンテナ本体の開口を覆う蓋と、コンテナ本体の２つの側壁の外面に固定される２つのハンドル取付け部と、各ハンドル取付け部に回動可能に支持される略コ字状のハンドルと、蓋をコンテナ本体に係止するパチン錠と、を備える。パチン錠は、ハンドルの中央部に位置し、ハンドル取付け部にビスにより固定される。
【先行技術文献】
【特許文献】
【０００３】
【特許文献１】特開２００７−３０２２７０号公報
【発明の概要】
【発明が解決しようとする課題】
【０００４】
上記特許文献１に記載の構成では、パチン錠はハンドル取付け部にビスにより固定されているため、可搬式コンテナに加わる振動等が原因で、ビスが緩み、これにより、パチン錠のハンドル取付け部に対する固定状態が不安定となるおそれがある。一方で、パチン錠を溶着によりハンドル取付け部に固定することも考えられるが、この場合、パチン錠に不具合が生じたときに、パチン錠の交換が困難となる。
【０００５】
本発明は、上記実状を鑑みてなされたものであり、交換を容易としつつ容器に確実に固定することができる着脱部材及び可搬式コンテナを提供することを目的とする。
【課題を解決するための手段】
【０００６】
上記目的を達成するため、本発明の第１の観点に係る着脱部材は、容器の台座部材に着脱可能な着脱部材であって、ベース部と、前記ベース部により支持され前記台座部材の溝部に嵌まるロック位置と前記溝部から外れるアンロック位置の間で回転可能なロック部材と、を備え、前記ロック部材は、前記ロック位置にあるとき、前記着脱部材を前記台座部材に対して前記ロック部材の回転軸に沿うスライド方向に固定し、前記アンロック位置にあるとき、前記着脱部材の前記台座部材に対する前記スライド方向への固定を解除する。
【０００７】
また、前記ベース部は、前記台座部材のスライド孔に前記スライド方向に沿って挿入可能に形成されるスライド部を備え、前記スライド部は、前記スライド孔に挿入された状態で前記スライド方向以外の方向において前記着脱部材を前記台座部材に固定することが好ましい。
【０００８】
また、前記ベース部は、前記ロック部材における回転可能に支持される基端部を前記回転軸に沿う方向から挟み込み、前記台座部材に向けて開口するコ字状に形成されるロック収容部を備えることが好ましい。
【０００９】
上記目的を達成するため、本発明の第２の観点に係る可搬式コンテナは、前記着脱部材と、収容物が収容され、開口部を有する容器と、前記容器の前記開口部を塞ぐ蓋と、前記容器の外周面に固定され、前記着脱部材が着脱可能に装着される前記台座部材と、を備える可搬式コンテナであって、前記着脱部材は前記蓋を前記容器に固定するパチン錠であり、前記台座部材は、前記容器の前記外周面に交わる方向に延びる２つの側壁部と、前記２つの側壁部における前記外周面から遠い端部を連結し、前記外周面に沿って延び、前記溝部が形成される本体板部と、前記本体板部の高さ方向の縁部から前記外周面に向けて延びる防護壁部と、を備え、前記ロック位置にある前記ロック部材の先端部は、前記２つの側壁部、前記本体板部及び前記防護壁部により囲まれている。
【００１０】
また、前記ロック部材は、前記ロック部材の前記先端部に位置し、前記ロック部材の前記回転軸に沿う方向に延び、外部から押されることにより前記ロック部材を前記ロック位置と前記アンロック位置の間で回転させる被押圧部を備え、前記被押圧部は、前記高さ方向から見て、前記防護壁部、前記本体板部及び前記側壁部の間から露出することが好ましい。
【００１１】
また、前記着脱部材は、前記ロック部材を前記アンロック位置から前記ロック位置に向けて付勢する付勢部を備え、前記ロック位置は、前記アンロック位置よりも前記容器の前記開口部から遠い位置に存在することが好ましい。
【発明の効果】
【００１２】
本発明によれば、着脱部材及び可搬式コンテナにおいて、交換を容易としつつ容器に確実に固定することができる。
【図面の簡単な説明】
【００１３】
【図１】本発明の一実施形態に係る可搬式コンテナの斜視図である。
【図２】本発明の一実施形態に係る（ａ）〜（ｄ）はパチン錠が台座部材に着脱される手順を示す斜視図である。
【図３】本発明の一実施形態に係るパチン錠及び台座部材の上部側から見た斜視図である。
【図４】本発明の一実施形態に係るパチン錠及び台座部材の底面側から見た斜視図である。
【図５】（ａ）は図４のＡ−Ａ線断面図であり、（ｂ）は（ａ）の拡大図である。
【図６】本発明の一実施形態に係るパチン錠のベース部と台座部材の斜視図である。
【発明を実施するための形態】
【００１４】
本発明に係る着脱部材及び可搬式コンテナの一実施形態について、図面を参照して説明する。本実施形態に係る可搬式コンテナは、学校給食又は社員食堂等において、大量の食品等の収容物を収納し運搬するためのものである。
【００１５】
図１に示すように、可搬式コンテナ１は、容器１０と、蓋２０と、一対のパチン錠４０と、一対のハンドル５０と、を備える。
容器１０は、容器本体１１と、パチン錠４０が装着される一対の台座部材１５と、ハンドル５０を支持する一対のハンドル支持部材１８と、を備える。
容器本体１１は、上方向に向けて開口する有底の円筒状に形成されている。容器本体１１は、ステンレス等の金属により形成される。
一対の台座部材１５は、ステンレス等の金属により形成される略コ字状（略Ｕ字状）の金具である。台座部材１５の開口側の端部は容器本体１１の外周面に溶接等で固定されている。台座部材１５は、高さ方向Ｈに貫通する空洞部を有する向きに設置される。一対の台座部材１５は、容器１０の径方向に互いに対向する位置に配置される。台座部材１５には、パチン錠４０が着脱可能に装着される。台座部材１５の具体的な構成については後で詳述する。
一対のハンドル支持部材１８は、ステンレス等の金属により形成され、容器本体１１の外周面に向けて開口する略コ字状の金具である。一対のハンドル支持部材１８の開口側の端部は容器本体１１の外周面に固定されている。一対のハンドル支持部材１８は、容器１０の径方向に互いに対向する位置に配置される。各ハンドル支持部材１８における容器本体１１の周方向に並ぶ２つの壁部１８ｂには貫通する孔１８ａが形成されている。ハンドル支持部材１８の各孔１８ａには、ハンドル５０が回転可能にハンドル５０の端部が挿入されている。例えば、一対のハンドル支持部材１８が並ぶ方向と一対の台座部材１５が並ぶ方向は直交している。
【００１６】
図１に示すように、蓋２０は、ステンレス等の金属により、容器本体１１の開口部を塞ぐ略円板状をなす。蓋２０は、蓋２０の外周面に位置し、パチン錠４０の後述するレバー部材４３が係止される一対の被係止部材２３を備える。被係止部材２３は略Ｊ字状の金具である。一対の被係止部材２３は、蓋２０の径方向に沿って互いに対向する位置に配置される。
【００１７】
一対のハンドル５０は人の手により把持可能に略Ｕ字状に形成される。ハンドル５０の開口側の端部は、ハンドル支持部材１８の孔１８ａに挿入されるように内側に折り曲げられてなる。よって、ハンドル５０は孔１８ａを中心に回転可能にハンドル支持部材１８に支持される。
【００１８】
図１に示すように、パチン錠４０は、台座部材１５に着脱可能であり、台座部材１５に装着されると、台座部材１５を介して容器１０の外周面に固定される。パチン錠４０は蓋２０を容器１０に固定する機能を有する。パチン錠４０については後で詳述する。
【００１９】
次に、台座部材１５について詳述する。
図２（ａ），（ｂ）に示すように、台座部材１５は、本体板部１５ａと、側壁部１５ｂ，１５ｃと、防護壁部１５ｄ，１５ｅと、フランジ部１５ｆ，１５ｇと、を備える。
【００２０】
本体板部１５ａは、容器本体１１の外周面に隙間を持って対面し、幅方向Ｗに長い長方形板状をなす。
一対の側壁部１５ｂ，１５ｃは、本体板部１５ａの幅方向Ｗの両端から、本体板部１５ａに直交し、容器本体１１の外周面に向かう方向に延びる板状をなす。側壁部１５ｂは本体板部１５ａの幅方向Ｗの一端部（図２（ａ）の右端部）に連結され、側壁部１５ｃは本体板部１５ａの幅方向Ｗの他端部（図２（ａ）の左端部）に連結される。
本体板部１５ａには、側壁部１５ｂとの連結部である角部に位置する溝部１５ｈが形成されている。溝部１５ｈは、上方向に向けて開口し、かつ本体板部１５ａの厚さ方向に貫通する。溝部１５ｈには、パチン錠４０の後述するロック部材４２が位置する。
【００２１】
図２（ｂ）に示すように、側壁部１５ｃには、パチン錠４０の後述するスライド部４１ｄが挿入される挿入孔１５ｉが形成されている。挿入孔１５ｉは、側壁部１５ｃにおける本体板部１５ａに近い部位であって、高さ方向Ｈの中央部に位置する。挿入孔１５ｉは幅方向Ｗに沿う側壁部１５ｃの厚さ方向に貫通する。挿入孔１５ｉは、パチン錠４０の後述するスライド部４１ｄのＬ字断面を含む面積の長方形状をなす。
また、図２（ａ）に示すように、本体板部１５ａには、本体板部１５ａの厚さ方向に貫通するスライド孔１５ｊが形成されている。スライド孔１５ｊには、パチン錠４０が台座部材１５に装着される際に、パチン錠４０の後述するスライド部４１ｄが挿入される。スライド孔１５ｊは、側壁部１５ｃの挿入孔１５ｉから幅方向Ｗに沿って延びるように形成され、高さ方向Ｈの中央部に位置する。スライド孔１５ｊは、側壁部１５ｃの挿入孔１５ｉの下部に対応して位置し、挿入孔１５ｉにつながっている。スライド孔１５ｊのスリットの高さ幅は、高さ方向Ｈにおいてスライド部４１ｄの厚さよりも大きく形成される。
【００２２】
図２（ａ）に示すように、各フランジ部１５ｆ，１５ｇは、各側壁部１５ｂ，１５ｃにおける容器本体１１の外周面に近い端部に位置する。各フランジ部１５ｆ，１５ｇは、各側壁部１５ｂ，１５ｃに対して直交し、容器本体１１の外周面に沿うように幅方向Ｗの外側に向かって延びる。フランジ部１５ｆは側壁部１５ｂの端部から連続して形成され、フランジ部１５ｇは側壁部１５ｃの端部から連続して形成される。フランジ部１５ｆ，１５ｇは、例えば、溶接等の固定手段により容器本体１１の外周面に固定されている。
【００２３】
防護壁部１５ｄ，１５ｅは、本体板部１５ａの高さ方向Ｈの両縁部に位置し、本体板部１５ａに直交する方向に容器本体１１の外周面に向かって延びる。防護壁部１５ｄ，１５ｅは、幅方向Ｗに長い長方形板状をなす。防護壁部１５ｄは、本体板部１５ａの上側縁部における幅方向Ｗの中央部に位置する。防護壁部１５ｅは、本体板部１５ａの下側縁部における幅方向Ｗの中央部に位置する。防護壁部１５ｄ，１５ｅは、外部の異物がロック部材４２に意図せず接触することを防ぐ機能を有する。また、ロック部材４２のロック状態が指などで簡単に解除されることを防ぐ機能を有する。
図３及び図４に示すように、防護壁部１５ｄ，１５ｅは、ロック部材４２の後述する被押圧部４２ｂを高さ方向Ｈから見て露出させるために側壁部１５ｂとの間の隙間を有する。
【００２４】
次に、パチン錠４０について詳述する。
詳しくは、図２（ａ）に示すように、パチン錠４０は、ベース部４１と、ロック部材４２と、レバー部材４３と、アーム部材４４と、回転ピン４５と、コイルばね部４６と、図３に示すように、トーションばね４７と、を備える。
【００２５】
図２（ａ）に示すように、ベース部４１は、台座部材１５に装着可能に形成され、レバー部材４３とアーム部材４４を回転可能に支持する。図６に示すように、ベース部４１は、レバー装着部４１ａと、ロック収容部４１ｂと、ロック回転支持ピン４１ｃと、スライド部４１ｄと、を備える。
レバー装着部４１ａは、ベース部４１の上部に位置し、レバー部材４３が回転可能に嵌め込まれる。
【００２６】
図６に示すように、ロック収容部４１ｂは、容器本体１１の外周面と上方向に向けて開口する箱状に形成される。ロック収容部４１ｂは、容器本体１１の外周面に向けて開口し、高さ方向Ｈから見てコ字状に形成されるコ字状部４１ｇと、コ字状部４１ｇの下端部に位置する防護壁部４１ｉと、を備える。図４に示すように、防護壁部４１ｉは、コ字状部４１ｇ内のロック部材４２を外部から隠すように形成される。
【００２７】
図３に示すように、ロック回転支持ピン４１ｃは、幅方向Ｗに沿って延びる円柱状をなし、コ字状部４１ｇの幅方向Ｗに並ぶ２つの側壁の間で支持されている。ロック回転支持ピン４１ｃは、ロック部材４２の基端部を回転可能に支持する。
図５（ａ）に示すように、スライド部４１ｄは、ベース部４１における容器本体１１の外周面に対向する本体面４１ｓに設けられている。
図５（ｂ）に示すように、スライド部４１ｄは、本体面４１ｓから容器本体１１の外周面に向かって延びる第１片部４１ｅと、第１片部４１ｅにおける容器本体１１の外周面に近い端部から上方向に延びる第２片部４１ｆと、を備え、Ｌ字状をなす。
第１片部４１ｅは、台座部材１５の挿入孔１５ｉ内に位置する。第２片部４１ｆは、台座部材１５の本体板部１５ａの背面（容器本体１１の外周面に近い面）に対面し、本体板部１５ａを本体面４１ｓとの間で挟持する。スライド部４１ｄが挿入孔１５ｉ内に位置すると、パチン錠４０が幅方向Ｗを除き台座部材１５に固定される。
【００２８】
ロック部材４２は、台座部材１５の溝部１５ｈに嵌まる図２（ｄ）に示すロック位置と台座部材１５の溝部１５ｈから外れる図２（ｃ）に示すアンロック位置の間で回転軸Ａｘを中心に回転可能にロック回転支持ピン４１ｃに支持される。ロック部材４２の被押圧部４２ｂは、アンロック位置ではロック位置よりも上方向（重力方向に対向する方向）に位置している。ロック部材４２が、図２（ｄ）に示すロック位置にあるとき、ロック部材４２は溝部１５ｈに入り、これにより、パチン錠４０は幅方向Ｗに台座部材１５に固定される。このとき、ロック部材４２はロック状態となる。
詳しくは、図３に示すように、ロック部材４２は、本体部４２ａと、被押圧部４２ｂと、を備える。本体部４２ａは、ロック回転支持ピン４１ｃに直交する方向に延びる長方形板状をなす。本体部４２ａの基端部には、ロック回転支持ピン４１ｃが挿通される貫通孔４１ｈが形成されている。これにより、ロック部材４２はロック回転支持ピン４１ｃに回転軸Ａｘを中心に回転可能に支持されている。
図３に示すように、被押圧部４２ｂは、ロック部材４２の先端部に位置し、ロック回転支持ピン４１ｃに沿う幅広の形状をなす。被押圧部４２ｂは、本体部４２ａに直交し、台座部材１５の幅方向Ｗの中央部に向けて延びる。
図３に示すように、被押圧部４２ｂは、ロック部材４２がアンロック位置に回転可能となるように、上方向から見て、台座部材１５、例えば、台座部材１５における本体板部１５ａ、側壁部１５ｂ及び防護壁部１５ｄの隙間から露出する。
また、図４に示すように、被押圧部４２ｂは、ドライバ等の工具Ｔｌにより下方向（図４の紙面垂直方向）から押圧されてアンロック位置に回転可能となるように、下方向から見て、台座部材１５、例えば、台座部材１５における本体板部１５ａ、側壁部１５ｂ及び防護壁部１５ｅの隙間から露出する。
【００２９】
図３に示すように、トーションばね４７は、ロック部材４２と幅方向Ｗに隣り合うようにロック回転支持ピン４１ｃの外周に設けられる。トーションばね４７は、ロック部材４２を台座部材１５の溝部１５ｈに嵌まる方向、すなわち、アンロック位置からロック位置に付勢する。
【００３０】
図２（ａ）に示すように、レバー部材４３は、ベース部４１に回転可能に支持されつつ、アーム部材４４を回転可能に支持する。レバー部材４３は、容器本体１１の外周面に向けて開口するコ字状に形成される。
レバー部材４３の一端部（図２（ａ）の上端部）には、ベース部４１のレバー装着部４１ａが嵌め込まれる凹部４３ａが形成される。レバー部材４３の凹部４３ａにベース部４１のレバー装着部４１ａが嵌め込まれることにより、レバー部材４３はベース部４１に回転可能に支持される。
レバー部材４３の他端部（図２（ａ）の下端部）は、レバー部材４３における幅方向Ｗに並ぶ２つの側壁の間に回転ピン４５を支持する。アーム部材４４はＵ字状をなす。アーム部材４４におけるレバー部材４３側（図２（ａ）の上側）の端部はレバー部材４３を幅方向Ｗから挟み込むように位置し、回転ピン４５に回転可能に支持される。アーム部材４４におけるレバー部材４３から遠い先端部４４ｃは、図１に示す蓋２０の被係止部材２３に係止される。
図２（ａ）に示すように、アーム部材４４は、アーム部材４４の長手方向に並ぶ２つの部材４４ａ，４４ｂに分割されて構成される。コイルばね部４６は、２つの部材４４ａ，４４ｂの間を連結するように設けられる。コイルばね部４６が弾性変形することにより、アーム部材４４は伸縮可能となる。
なお、本例に限らず、アーム部材４４は、１つの部材により構成され、コイルばね部４６が省略されてもよい。
【００３１】
次に、パチン錠４０を台座部材１５に装着する作業について説明する。この作業は人により行われる。
まず、図２（ｂ）に示すように、パチン錠４０を台座部材１５に近づけ、パチン錠４０のスライド部４１ｄを台座部材１５の挿入孔１５ｉにスライド可能（幅方向Ｗ）な位置に配置する。そして、ロック部材４２の被押圧部４２ｂに上方向への外力を工具又は手指により加えることにより、トーションばね４７（図３参照）の付勢力に抗して、ロック部材４２をアンロック位置に保持する。この状態で、スライド部４１ｄを台座部材１５の挿入孔１５ｉを介してスライド孔１５ｊ内に挿入する。
そして、図２（ｃ）に示すように、ロック部材４２を溝部１５ｈに高さ方向Ｈに対向する位置に到達させる。次に、図２（ｄ）に示すように、ロック部材４２に加わる外力を解放すると、トーションばね４７（図３参照）の付勢力によりロック部材４２が溝部１５ｈに嵌まり、ロック部材４２がロック位置となる。以上で、パチン錠４０の装着が完了する。
パチン錠４０のスライド部４１ｄを台座部材１５の挿入孔１５ｉ内に位置させることにより、パチン錠４０がスライド方向（幅方向Ｗ）以外の方向では台座部材１５に固定される。そして、ロック部材４２が溝部１５ｈに嵌まると、パチン錠４０がスライド方向（幅方向Ｗ）において移動できず台座部材１５に固定される。これにより、全ての方向において、パチン錠４０が台座部材１５に固定される。
【００３２】
次に、パチン錠４０を台座部材１５から取り外す作業について説明する。この作業は人により行われる。
まず、図２（ｄ）に示すロック部材４２が溝部１５ｈに嵌まったロック位置から、図２（ｃ）に示すように、トーションばね４７（図３参照）の付勢力に抗して、ロック部材４２の被押圧部４２ｂを上方向に回転させる外力を加え、ロック部材４２が溝部１５ｈから外れたアンロック位置とする。これにより、ロック部材４２のロック状態が解除される。このとき、例えば、被押圧部４２ｂを、図２（ｄ）の一点鎖線で示すドライバ等の工具Ｔｌにより下方向から上方向へ押す。この際、工具Ｔｌは、図４に示すように、台座部材１５の側壁部１５ｂと防護壁部１５ｅに干渉しないように、高さ方向Ｈに沿う向きにする必要がある。
ロック部材４２をアンロック位置に維持しつつ、スライド部４１ｄが台座部材１５の挿入孔１５ｉから外出するように、パチン錠４０を幅方向Ｗにスライドさせる。これにより、パチン錠４０が台座部材１５から取り外される。
なお、上述した装着作業と取り外し作業は、例えば、容器１０の開口部が下方向を向くように容器１０が逆さまに設置された状態で行われてもよい。
【００３３】
（効果）
以上、説明した一実施形態によれば、以下の効果を奏する。
（１）容器１０の台座部材１５に着脱可能な着脱部材の一例であるパチン錠４０は、ベース部４１と、ベース部４１により支持され台座部材１５の溝部１５ｈに嵌まるロック位置と溝部１５ｈから外れるアンロック位置の間で回転可能なロック部材４２と、を備える。ロック部材４２は、ロック位置にあるとき、パチン錠４０を台座部材１５に対し幅方向Ｗに固定し、アンロック位置にあるとき、パチン錠４０の台座部材１５に対する幅方向Ｗへの固定を解除する。
この構成によれば、ロック部材４２が溝部１５ｈに嵌まることにより、パチン錠４０を容器１０の台座部材１５に固定できる。このように、ビスを用いないため、ビスが振動により弛むことがなく、パチン錠４０を容器１０に確実に固定することができる。また、ビスが脱落することが抑制され、パチン錠４０が容器１０から外れることが抑制される。
さらに、ロック部材４２をアンロック位置とすることにより、パチン錠４０を容器１０の台座部材１５から取り外しできる。よって、例えば、ロック部材４２に不具合が生じたときに、ロック部材４２を容易に交換することができる。
【００３４】
（２）ベース部４１は、台座部材１５のスライド孔１５ｊに幅方向Ｗに沿って挿入可能に形成されるスライド部４１ｄを備える。スライド部４１ｄは、スライド孔１５ｊに挿入された状態で幅方向Ｗ以外の方向においてパチン錠４０を台座部材１５に固定する。
この構成によれば、ロック部材４２とスライド部４１ｄにより、全ての方向からパチン錠４０が台座部材１５に固定される。よって、パチン錠４０を容器１０に確実に固定することができる。
【００３５】
（３）ベース部４１は、ロック部材４２における回転可能に支持される基端部をロック部材４２の回転軸Ａｘに沿う方向から挟み込み、台座部材１５に向けて開口するコ字状に形成されるロック収容部４１ｂを備える。
この構成によれば、ロック収容部４１ｂにより、ロック部材４２の基端部が保護される。このため、ロック部材４２が外部から押されることが抑制され、ロック部材４２がロック位置からアンロック位置に意図せずに回転することが抑制される。
【００３６】
（４）可搬式コンテナ１は、パチン錠４０と、収容物の一例である食品が収容され、開口部を有する容器１０と、容器１０の開口部を塞ぐ蓋２０と、容器１０の外周面に固定され、パチン錠４０が着脱可能に装着される台座部材１５と、を備える。パチン錠４０は蓋２０を容器１０に固定する。台座部材１５は、容器１０の外周面に交わる方向に延びる２つの側壁部１５ｂ，１５ｃと、２つの側壁部１５ｂ，１５ｃにおける外周面から遠い端部を連結し、外周面に沿って延び、溝部１５ｈが形成される本体板部１５ａと、本体板部１５ａの高さ方向Ｈの縁部から外周面に向けて延びる防護壁部１５ｄ，１５ｅと、を備える。ロック位置にあるロック部材４２の先端部（被押圧部４２ｂ）は、２つの側壁部１５ｂ，１５ｃ、本体板部１５ａ及び防護壁部１５ｄ，１５ｅにより囲まれている。
この構成によれば、側壁部１５ｂ，１５ｃ、本体板部１５ａ及び防護壁部１５ｄ，１５ｅにより、ロック部材４２の先端部が保護される。このため、ロック部材４２の先端部が外部から押されることが抑制され、ロック部材４２がロック位置からアンロック位置に意図せずに回転することが抑制される。
【００３７】
（５）ロック部材４２は、ロック部材４２の先端部に位置し、ロック部材４２の回転軸Ａｘに沿う幅方向Ｗに延び、外部から押されることによりロック部材４２をロック位置とアンロック位置の間で回転させる被押圧部４２ｂを備える。被押圧部４２ｂは、高さ方向Ｈから見て、防護壁部１５ｄ，１５ｅ、本体板部１５ａ及び側壁部１５ｂの間の隙間から露出する。
この構成によれば、被押圧部４２ｂが防護壁部１５ｅ、本体板部１５ａ及び側壁部１５ｂの隙間を介して工具Ｔｌにより下方向から押される。これにより、パチン錠４０を取り外す際には、ロック部材４２をロック位置からアンロック位置に回転させることができる。
【００３８】
（６）パチン錠４０は、ロック部材４２をアンロック位置からロック位置に向けて付勢する付勢部の一例であるトーションばね４７を備える。ロック位置は、アンロック位置よりも容器１０の開口部から遠い位置に存在する。
この構成によれば、容器１０の向きに関わらず、トーションばね４７によりロック部材４２がロック位置に保持される。このため、重力によりロック部材４２がアンロック位置となることが抑制され、パチン錠４０が意図せず台座部材１５から外れることが抑制される。
また、ロック位置はアンロック位置よりも下方向に位置する。よって、ロック部材４２が重力によりロック位置からアンロック位置に回転することが抑制される。
【００３９】
なお、本発明は以上の実施形態及び図面によって限定されるものではない。本発明の要旨を変更しない範囲で、適宜、変更（構成要素の削除も含む）を加えることが可能である。以下に、変形の一例を説明する。
【００４０】
（変形例）
上記実施形態においては、容器１０は円筒状に形成されていたが、これに限らず、角筒状に形成されてもよい。
【００４１】
上記実施形態において、パチン錠４０は、容器１０の外周面に設けられていたが、これに限らず、蓋２０の外周面に設けられていてもよい。この場合、被係止部材２３は、容器１０の外周面に設けられる。
【００４２】
上記実施形態においては、着脱部材は、パチン錠４０であったが、これに限らず、ハンドル５０であってもよい。この場合、ハンドル５０は、パチン錠４０と同様の構成のベース部と、ロック部材と、人に把持されるコ字状のアーム部材と、を備える。よって、ハンドル５０は台座部材に着脱可能となる。これにより、ハンドル５０は容器１０に着脱容易としつつ、ハンドル５０が容器１０に確実に固定される。
【００４３】
上記実施形態においては、ハンドル５０とパチン錠４０は、容器１０の外周面において異なる位置に設けられていたが、これに限らず、パチン錠４０は、コ字状のハンドル５０内の中央に位置していてもよい。
【００４４】
上記実施形態においては、ロック部材４２のロック位置は、アンロック位置よりも下方向に位置していたが、これに限らず、アンロック位置よりも上方向に位置していてもよい。この場合、台座部材１５の溝部１５ｈは、台座部材１５の本体板部１５ａの下部に位置し、下方向に向けて開口してもよい。
【００４５】
上記実施形態においては、スライド部４１ｄはＬ字状に形成されていたが、これに限らず、例えば、Ｔ字状等の他の形状に形成されてもよい。
また、上記実施形態における防護壁部１５ｄ，１５ｅのうち少なくとも何れか一方が省略されてもよい。
また、上記実施形態において、トーションばね４７は省略されてもよい。この場合、ロック部材４２は、溝部１５ｈ内に圧入されることにより、ロック位置に保持されてもよい。
【００４６】
上記実施形態において、スライド部４１ｄ、スライド孔１５ｊ及び挿入孔１５ｉが省略されてもよい。この場合、ロック部材４２が台座部材１５の溝部１５ｈに嵌まることにより、パチン錠４０が容器１０に固定されてもよい。
上記実施形態においては、容器本体１１の外周面に一対の台座部材１５が設けられていたが、台座部材１５の数はこれに限定されない。例えば、３つの台座部材１５が容器本体１１の外周面に１２０度間隔で配置されてもよいし、４つの台座部材１５が容器本体１１の外周面に９０度間隔で配置されてもよい。
【符号の説明】
【００４７】
１…可搬式コンテナ、１０…容器、１１…容器本体、１５…台座部材、１５ａ…本体板部、１５ｂ，１５ｃ…側壁部、１５ｄ，１５ｅ…防護壁部、１５ｆ，１５ｇ…フランジ部、１５ｈ…溝部、１５ｉ…挿入孔、１５ｊ…スライド孔、１８…ハンドル支持部材、１８ａ…孔、２０…蓋、２３…被係止部材、４０…パチン錠、４１…ベース部、４１ａ…レバー装着部、４１ｂ…ロック収容部、４１ｃ…ロック回転支持ピン、４１ｄ…スライド部、４１ｅ…第１片部、４１ｆ…第２片部、４１ｉ…防護壁部、４１ｇ…コ字状部、４１ｈ…貫通孔、４２…ロック部材、４２ａ…本体部、４２ｂ…被押圧部、４３…レバー部材、４３ａ…凹部、４４…アーム部材、４５…回転ピン、４６…コイルばね部、４７…トーションばね、５０…ハンドル、Ｈ…高さ方向、Ｗ…幅方向、Ａｘ…回転軸、Ｔｌ…工具
【図１】
2020196507.tif 000003
【図２】
2020196507.tif 000004
【図３】
2020196507.tif 000005
【図４】
2020196507.tif 000006
【図５】
2020196507.tif 000007
【図６】
2020196507.tif 000008